(57)【特許請求の範囲】
【請求項１】
他覚的に屈折力を測定した他覚測定値を入力する入力手段を有し、視標呈示装置及び自覚的眼屈折力測定ユニットを予めプログラムされた手順により動作させて検査を進行させる検眼プログラムであって、該検眼プログラムは既存の標準的な検眼プログラムと検者が作成する固有の検眼プログラムとの２種類の検眼プログラムを有し得、検眼プログラムを選択的に実行して被検眼の屈折力を自覚的に検査する検眼装置において、検者が固有の検眼プログラムを作成するための制御プログラムであって、プログラムの書き込み画面をディスプレイに表示させ、呈示する検査視標及び／又は被検眼に光学的に付与する光学特性を操作キーにより選択して検査項目を順次設定しうる制御プログラムと、固有の検眼プログラムを作成する上で補助するプログラムであり、使用者によって作成された検眼プログラムを、固有の検眼プログラム中のクロスシリンダ（ＸＣ）テストに適用されうるプログラムであって、前記入力された他覚測定値の乱視度数が略０の場合に、クロスシリンダテスト又は、レッドグリーン検査1回及びクロスシリンダテストを省略するクロスシリンダテスト省略プログラムに置き換える、補助プログラムと、固有の検眼プログラム中のクロスシリンダテストについて、検者が作成したクロスシリンダテストの検査項目の順序に従って全検査項目を実行するか、前記入力された他覚測定値の乱視度数が略０のときに前記クロスシリンダテスト省略プログラムを実行するか、いずれかを予め選択し、前記クロスシリンダテスト省略プログラムを実行することが選択されたときは、他覚測定値の乱視度数が略０のときに固有の検眼プログラム中のクロスシリンダテスト又は、レッドグリーン検査1回及びクロスシリンダテストのプログラムの動作を省略する選択手段と、を備えたことを特徴とする検眼装置。
【請求項２】
請求項１の検眼装置において、前記クロスシリンダテスト省略プログラムは、さらに前記入力された他覚測定値の乱視度数が小さいときは乱視度数の調整を行い、乱視度数が略０のときは以降のクロスシリンダテストを省略する過程を持つことを特徴とする検眼装置。
【発明の詳細な説明】
【０００１】
【発明の属する技術分野】
本発明は、被検眼の屈折力を自覚的に検査するに好適な検眼装置に関する。
【０００２】
【従来技術】
眼鏡レンズ等を処方するための検査では、種々の光学特性のレンズを検眼窓に切換え配置する測定ユニットを使用し、検眼窓に配置したレンズを介して検査視標を見せることで被検眼の屈折力を自覚的に検査している。この自覚検眼においては、検査手順と装置の操作を関連付けてプログラム化することで検眼を容易に行えるようにしている。検眼プログラムは予め標準的な手順をメーカが準備したものもあるが、検者（使用者）自身が検査手順をプログラム化してこれを登録できるようにした装置も提案されている。
【０００３】
【発明が解決しようとする課題】
しかしながら、検者自身が検査手順をプログラム化が可能な従来装置においては、常に決まった手順となってしまい、必ずしも効率の良い検査が行えなかった。
【０００４】
本発明は上記従来技術の問題点に鑑み、使用者により設定された検眼プログラムにおいても、効率良く検査が行え得る検眼装置を提供することを技術課題とする。
【０００５】
【課題を解決するための手段】
上記課題を解決するために、本発明は以下のような構成を備えることを特徴とする。
【０００６】
（１）  他覚的に屈折力を測定した他覚測定値を入力する入力手段を有し、視標呈示装置及び自覚的眼屈折力測定ユニットを予めプログラムされた手順により動作させて検査を進行させる検眼プログラムであって、該検眼プログラムは既存の標準的な検眼プログラムと検者が作成する固有の検眼プログラムとの２種類の検眼プログラムを有し得、検眼プログラムを選択的に実行して被検眼の屈折力を自覚的に検査する検眼装置において、検者が固有の検眼プログラムを作成するための制御プログラムであって、プログラムの書き込み画面をディスプレイに表示させ、呈示する検査視標及び／又は被検眼に光学的に付与する光学特性を操作キーにより選択して検査項目を順次設定しうる制御プログラムと、固有の検眼プログラムを作成する上で補助するプログラムであり、使用者によって作成された検眼プログラムを、固有の検眼プログラム中のクロスシリンダ（ＸＣ）テストに適用されうるプログラムであって、前記入力された他覚測定値の乱視度数が略０の場合に、クロスシリンダテスト又は、レッドグリーン検査1回及びクロスシリンダテストを省略するクロスシリンダテスト省略プログラムに置き換える、補助プログラムと、固有の検眼プログラム中のクロスシリンダテストについて、検者が作成したクロスシリンダテストの検査項目の順序に従って全検査項目を実行するか、前記入力された他覚測定値の乱視度数が略０のときに前記クロスシリンダテスト省略プログラムを実行するか、いずれかを予め選択し、前記クロスシリンダテスト省略プログラムを実行することが選択されたときは、他覚測定値の乱視度数が略０のときに固有の検眼プログラム中のクロスシリンダテスト又は、レッドグリーン検査1回及びクロスシリンダテストのプログラムの動作を省略する選択手段と、を備えたことを特徴とする。
（２）  （１）の検眼装置において、前記クロスシリンダテスト省略プログラムは、さらに前記入力された他覚測定値の乱視度数が小さいときは乱視度数の調整を行い、乱視度数が略０のときは以降のクロスシリンダテストを省略する過程を持つことを特徴とする。
【００１４】
【発明の実施の形態】
以下、本発明の実施形態を図面に基づいて説明する。図１は本実施形態の検眼装置の構成を示す図である。
【００１５】
１０は眼屈折力を自覚的に測定する測定ユニットであり、測定ユニット１０は左右２つの検眼窓１１に種々のレンズを電動で切換え配置する。２００は検査視標を検査窓２０１に呈示する視標呈示装置、２０は測定ユニット１０及び視標呈示装置２００を操作するための操作ユニット、３は測定指標を被検眼眼底に投影し眼底の投影指標像を受光素子で検出して眼屈折力を測定する他覚眼屈折力測定装置、４はレンズメータである。測定ユニット１０、視標呈示装置２００、他覚眼屈折力測定装置３、レンズメータ４は中継ユニット５０を介して操作ユニット２０と接続されている。
【００１６】
図２は実施形態の装置の制御系ブロック図である。操作ユニット２０は、検眼情報を表示するディスプレイ２２、図３に示すような各種の操作キーを持つ入力部２３、メモリ部２４を備える。メモリ部２４は、メーカで準備した検査進行手順の検眼ブログラムの他、使用者が作成した検査進行手順の検眼プログラムが記憶される検眼プログラム記憶部２４ａと、測定データが記憶される記憶部２４ｂと、ディスプレイ２２の表示や検眼プログラム作成のための制御プログラムを有する記憶部２４ｃとを有する。主制御部２１は入力部２３から入力される操作信号を各種データに変換し、メモリ部２４の制御プログラムに従ってディスプレイ２１の表示を制御すると共に、屈折力に関する信号を測定ユニット１０に送り、視標に関する信号を視標呈示装置２００に送る。
【００１７】
測定ユニット１０は矯正光学系を構成するための球面レンズディスク、補助レンズディスク、クロスシリンダーディスク等のレンズディスク１２、各レンズディスクを駆動するモータ等から構成される駆動部１３、制御部１４を備え、制御部１４は操作ユニット２０から送信される信号に従って各種レンズを検眼窓１１に配置する。
【００１８】
視標呈示装置２００は内部に凹面鏡やビームスプリッタ等を有し、検査距離を光学的に５ｍの遠用距離する省スペース型のものであり、検査視標が描かれた視標ディスク板２０２、呈示視標にマスクを掛けるマスク板２０３、視標ディスクの視標を照明するランプ２０４、視標ディスク板２０２を回転するモータ２０５、マスク板２０３を回転するモータ２０６、これらを制御する制御部２１０を備え、制御部２１０は操作ユニット２０から送信される信号に従って、検査窓２０１に視標を選択的に呈示する。
【００１９】
中継ユニット５０の制御部５１は他覚眼屈折力測定装置３、レンズメータ４から送られてくる測定データをメモリ２２に格納すると共に、操作ユニット２０からの読み出し指令信号により、指定された測定データを読み出して操作ユニット２０側に転送する。
【００２０】
図３は操作ユニット２０を上から見た図である。入力部２３は次のような操作キー類を持つ。３２は設定切換えキー群であり、ディスプレイ２０の表示画面をメニュー画面に切換えて各種の設定を行うときに使用するキーを持つ。３３は視標呈示装置２００に呈示させる視標を切換える視標キー群、３４は呈示視標に必要なマスクをかけるマスクキー群、３５はプログラム検眼を実行するスタートキー、３６はプログラム検眼の検査段階を次のものに進める送りキー、３７はデータを変更するモードを指定するモードキー群、３８はデータを入力する際のモード又は測定するモードを指定する入力データ指定キー群、３９は他覚式眼屈折力測定装置３やレンズメータ４からのデータを入力するときに使用するデータ入力キー、４０はプリントキー、４１は測定眼指定キー群、４２は測定値の変更や数値入力のときに使用するダイヤルノブである。４３ａ，４３ｂはクロスシリンダを切換えるクロスシリンダーキーである。なお、以上の各キーはプログラム書込み用の操作キーとしても使用されるものも含む。
【００２１】
次に、本装置の検眼の動作を説明する。検眼プログラム記憶部２４ａには、予めメーカで準備した検査進行手順のブログラムが記憶されているので、これを使用して検眼を進めることもできるが、使用者が独自の検査進行手順のプログラムを作成する場合は次のようにする。ここでは、片眼完全矯正値（被検者の最高視力が得られる弱度数）を求める検査までをプログラムするとする。
【００２２】
メニューキー３２ａを押すと、ディスプレイ２２には設定メニュー画面が表示されるので、その中からプログラム書込みの項目をカーソル移動キー３２ｂ，３２ｃで選択する。実行キー３２ｄでプログラム書込みモードに入り、ディスプレイ２２の画面がプログラム書込み画面に切換わる。プログラム書込みについては図４のフローチャート参照。
【００２３】
まず、乱視検査前の第１のＲ／Ｇ（レッド・グリーン）検査の項目を設定する。視標キー群３３のＲ／Ｇ視標キー３３ａを押すことによりこの視標が設定されると共に、被検眼に光学的に付与する光学特性の種類が設定される。ここではＳＰＨ（球面度数調整）モードが設定される。ダイヤルノブ４２を左へ回転することで、所望する量のフォグ掛けが設定される。例えば、ダイヤルノブ４２を左へ２ステップ分回転すると、Ｓ＋０．５Ｄ分のフォグが設定される。そして、送りキー３６を押すと、以上のＲ／Ｇ検査の項目が記憶される。
【００２４】
続いて、クロスシリンダレンズ（以下、ＸＣレンズとする）を使用する乱視軸調整の検査を設定する。点群視標キー３３ｂを押すことによりこの視標が設定される。また、点群視標キー３３ｂを始めて押した時には、ＡＸＩＳ（乱視軸調整）モード及びＸＣテストのモードが設定される。そして、送りキー３６を押すと、乱視軸調整検査の項目が記憶される。
【００２５】
次に、乱視度数調整検査を設定する。点群視標キー３３ｂを再度押すことによりこの視標が設定される。先にＡＸＩＳモードが設定されているので、今度はこの点群視標キー３３ｂの操作信号でＣＹＬ（乱視度数）調整モードが自動的に設定される。同時にＸＣテストのモードも設定される。送りキー３６を押すと、乱視度数調整検査の項目が記憶される。
【００２６】
次に、過矯正を防止して最高視力を得るための第２のＲ／Ｇ検査を設定する。先の場合と同様に、Ｒ／Ｇ視標キー３３ａを押すことによりこの視標が設定されると共に、ＳＰＨモードが設定される。ダイヤルノブ４２を左へ２ステップ分回転することで、Ｓ＋０．５Ｄを加えるフォグ掛けが設定される。送りキー３６を押すと、第２のＲ／Ｇ検査の項目が記憶される。
【００２７】
次に、視力検査の項目を設定する。視力値０．８〜１．０を持つ視力視標キー３３ｃを押すことにより、この視標が設定されると共に、ＳＰＨモードが設定される。マスクキー３４ｂを１回押すことにより、視力値１．０の横マスクが設定される。送りキー３６を押すことにより、視力検査の項目が記憶される。そして、最後にスタートキー３５を押すことで、プログラムの書込みが完了する。使用者によって作成された検眼プログラムは、記憶部２４ａに記憶される。
【００２８】
以上のようにして作成された検眼プログラムを実行した場合の検査を説明する。
【００２９】
測定ユニット１０による自覚検眼に先立ち、被検者が眼鏡を装用している場合、そのレンズ度数をレンズメータ４で測定する。レンズメータ４で得られた測定データはプリントスイッチを押すことにより、中継ユニット５０が持つメモリ５２に転送され、さらに操作ユニット２０の入力キー３９と眼鏡キー３８ａを押すことで、測定データ記憶部２４ｂに記憶される。また、他覚式眼屈折力測定装置３により被検者の裸眼度数の他覚測定を行い、その測定データは同様にプリントスイッチを押すことにより、中継ユニット５が持つメモリ５２に転送した後、入力キー３９と他覚キー３８ｂを押すことで、測定データ記憶部２４ｂに記憶される。他覚値のデータが入力されると、ディスプレイ２０の画面にはその他覚値データが表示される。また、測定ユニット１０側には他覚値データの信号が送られ、測定ユニット１０の検眼窓１１には他覚値データの矯正光学系が初期値としてセットされる。なお、測定ユニット１０の検眼窓１１に初めにセットする矯正光学系は、レンズメータ４によるレンズ度数データに設定しておくこともできる。
【００３０】
他覚値データの入力ができたら、測定ユニット１０による自覚検眼に移る。操作ユニットの自覚キー３８ｃを押して自覚測定モードにした後、測定眼指定キー群４１によって右眼又は左眼を指定し、片眼測定の準備を行う。そして、スタートキー３５を押すと、予め使用者が登録した検眼プログラムが実行される。
【００３１】
ここで、制御プログラム記憶部２４ｃには、乱視度数（他覚式眼屈折力測定装置３又はレンズメータ４から入力された測定データの乱視度数）に応じてＸＣテストによる乱視検査の進行手順を変更する、図５に示すようなＸＣテストシーケンスフロー１０１のプログラムが記憶されている。主制御部２１は使用者によって作成されたプログラムの実行時においても、そのプログラムにＸＣテストがある場合には、ＸＣテストを含む検査進行フロー１００をこのＸＣテストシーケンスフロー１０１に置き換える。
【００３２】
スタートキー３５の信号により、検査は先の設定の通り、第１のＲ／Ｇ検査からスタートする。視標呈示装置２００には主制御部２１から視標に関する信号が送られ、その検査窓２０１にはレッドグリーン視標が呈示される。また、測定ユニット１０には屈折力に関する信号が送られ、測定眼側の検眼窓１１には初期値に対してＳ＋０．５Ｄ分が加える雲霧か掛けられる。操作ユニット２０の測定モードは、検眼プログラムに従って球面度数が変更可能なＳＰＹモードとされる。被検者には検眼窓１１にセットされた矯正光学系を介してレッドグリーン視標を見させる。検者は被検者の応答を得て、赤と緑の文字が同程度となるように、ダイヤルキー４２を操作して測定ユニット１０の球面度数を調整する。
【００３３】
検眼プログラムは送りキー３６を押すことによって次の検査項目に移行される。第１のＲ／Ｇ検査終了後に送りキー３６を押すと、乱視検査のＸＣモードに入る。主制御部２１はＸＣモードに入った判断したときには、図５のＸＣテストシーケンスフロー１０１に従って、入力された他覚値データの乱視度数（測定ユニット１０の初期値設定を眼鏡データとする場合は、その乱視度数としても良い）に応じて検査進行手順を変更する。
【００３４】
（Ａ）乱視度数＝０のとき
実施形態では度数ステップが０．２５Ｄとしており、他覚値データの乱視度数がほぼ０（０．２５Ｄより小さい場合を含む）のときにはＸＣレンズによる乱視軸調整検査及び乱視度数調整検査と、第２のＲ／Ｇ検査を省略して視力検査に移る。他覚値データに乱視度数が無い場合には、自覚検査でもほぼ乱視が確認されることが無いためである。また、Ｒ／Ｇ検査の重複を省くことができる。
【００３５】
（Ｂ）乱視度数≧０．５Ｄのとき
他覚値データの乱視度数が０．５０Ｄ以上（乱視度数はマイナス読みであるが、本明細書ではマイナス表示を略している）のときは、ＸＣレンズによる乱視軸調整検査、乱視度数調整検査、第２のＲ／Ｇ検査の順に進む。視標呈示装置２００には点群視標が呈示され、操作ユニット２０の測定モードはＡＸＩＳモードとされる。測定ユニット１０の検眼窓１１にはＸＣレンズの軸が他覚値データの乱視軸角度に応じて配置される。検者はクロスシリンダーキー４３ａ，４３ｂを操作してＸＣレンズを９０度反転させ、その反転前後での視標の見え方を被検者に応答してもらう。ＡＸＩＳモードではダイヤルノブ４２を左又は右に回すことで乱視軸が移動するので、ＸＣレンズの反転前後で視標が同程度に見えるように乱視軸を調整する。
【００３６】
乱視軸の決定後、送りキー３６を押すと乱視度数調整検査に移る。操作ユニット２０の測定モードはＣＹＬモードとされ、測定ユニット１０のＸＣレンズの軸は調整された乱視軸に応じて配置される。被検者に同様にＸＣレンズを９０度反転させ、その反転前後での見え方を応答してもらい、同程度に見えるように乱視度数を調整する。ＣＹＬモードではダイヤルノブ４２を回すことで乱視度数が変えられる。
【００３７】
送りキー３６を押すと第２のＲ／Ｇ検査に移る。第１のＲ／Ｇ検査の時と同様に、視標呈示装置２００にはレッドグリーン視標が呈示され、測定モードはＳＰＹモードとされる。測定ユニット１０の球面度数には＋０．５０Ｄ分の雲霧が掛けられる。そして、赤と緑の文字が同程度となるように、ダイヤルキー４２の操作により球面度数を調整する。
【００３８】
（Ｃ）乱視度数＝０．２５Ｄのとき
他覚値データの乱視度数が０．２５Ｄのときには、先にＸＣレンズによる乱視度数調整検査を行うように進められる。他覚値データが弱度の乱視の場合には乱視度数の調整で０（乱視がほぼ無し）になることも多く、乱視度数＝０となれば乱視軸度調整検査も不要であるからである。
【００３９】
また、乱視度数の調整により０．２５Ｄより大きな度数となれば、０．２５Ｄのまま乱視軸調整→乱視度数調整とした場合よりも乱視軸の確認がし易くなり、軸精度が向上する。さらにまた、０．２５Ｄのまま乱視軸調整→乱視度数調整→乱視軸調整とした場合よりも時間がかからない。
【００４０】
前述と同様にＸＣレンズの反転前後での点群視標の見え具合を確認して乱視度数を調整する。その結果、乱視度数＝０であれば、乱視軸調整の検査が省略され、第２のＲ／Ｇ検査に移る（この第２のＲ／Ｇ検査をも省略しても良い）。乱視度数＝０でなければ、乱視軸調整検査に移る。そして、送りキー３６を押すと、検査手順は再び乱視度数調整の検査に移る。ここで、再び乱視度数調整検査を行うのは、前のステップで乱視軸が大きく変化した場合には、乱視度数も変化することがあるためである。なお、乱視軸の変化量と乱視度数とによる残留乱視を考慮し、不要ならば２回目の乱視度数調整を止めることもできる。その後、第２のＲ／Ｇ検査によって球面度数を調整する。
【００４１】
第２のＲ／Ｇ検査を実施後（他覚値の乱視度数＝０のときは第１Ｒ／Ｇ検査を実施後）は、送りキー３６を押すことによって、検査は使用者が設定した次の検査項目である視力検査に移る。視標呈示装置２００には横マスクが掛けられた視力値１．０の視標が呈示され、測定モードはＳＰＨモードとされる。検者はマスクキー群３４のマスク移動キー３４ａ又は３４ｂで、被検者が視認できる最高視力を確認する。マスク移動キー３４ａ又は３４ｂを操作すると、視標呈示装置２００のマスクされる視力値視標が変えられる。そして、最高視力が決まったところで、ダイヤルキー４２の操作により球面度数を調整し、最もプラスよりで最高視力となる球面度数として片眼の完全矯正値を決定する。
【００４２】
図６はＸＣテストシーケンスフロー１０１の変容例を示す図である。図５に対して、使用者によって設定された第１のＲ／Ｇ検査からＸＣテストの検査進行フロー１０２とＸＣテストシーケンスフロー１０３に置き換えて考えることも可能であり、これはＸＣテストの前後どちらのＲ／Ｇ検査をＸＣテストシーケンスに含めるかの違いである。
【００４３】
以上のように使用者が設定した検眼プログラムにおいても、ＸＣモードでの検査手順の進行は、他覚値データの乱視度数に応じて自動的に判断されるので、間違いや煩わしさがなく、効率良く検査を行うことができるようになる。すなわち、通常のＸＣレンズの手順を踏んでしまうと、乱視が無い場合に結果的に測定ができないままとなったり、乱視が弱度の場合にはＸＣテストに時間がかかった末に測定値が確定しないことがあったが、本装置によればこれらが解消される。また、乱視度数を見て手順を考えなくて済むので、間違いが低減できる。
【００４４】
なお、乱視度数が０．２５Ｄのときにおいても、０．５０Ｄ以上のときと同じように乱視軸調整、乱視度数調整の順で行う設定とすることも可能である。これは次のようにする。メニューキー３２ａでディスプレイ２２に設定メニュー画面を表示させた後、その中からパラメータセットメニューを選択する。図７はこのときの画面例である。画面に表示される反転カーソル１１０をカーソル移動キー３２ｂ，３２ｃで移動することにより「Ｃ＝0.25ＸＣテスト」の項目を選択し、ダイヤルノブ４２を回転することで、その右欄の黒点カーソル１１１を「Ａ→Ｃ」に合せる。
【００４５】
また、上記のＸＣテストシーケンスフロー１０１、１０３については、このプログラムを適用することなく、使用者が設定した検眼プログラム通りの手順となるようにすることもできる。これは次のようにする。図７に示したパラメータセットメニュー画面で反転カーソル１１０を「自動ＸＣ設定」の項目に合せた後、ダイヤルノブ４２を回転することで右欄の黒点カーソル１１１を「しない」に変更する。これにより、使用者が設定した検眼プログラム通りの手順で進行される。
【００４６】
【発明の効果】
以上説明したように、本発明によれば、検者（使用者）により設定された検眼プログラムにおいても、効率良く検査が行える。また、検者により設定された検眼プログラム通りに行うこともできるので、検眼に慣れた検者にとっても使いやすい装置とすることができる。
【図面の簡単な説明】
【図１】本実施形態の検眼装置の構成を示す図である。
【図２】実施形態の装置の制御系ブロック図である。
【図３】操作ユニットを上から見た図である。
【図４】プログラム書込みの例を説明するフローチャート図である。
【図５】使用者により設定された検眼フローと装置によって変更される検眼フローを示す図である。
【図６】装置によって変更される検眼フローの変容例を示す図である。
【図７】パラメータの設定変更を説明する図である。
【符号の説明】
３  他覚眼屈折力測定装置
４  レンズメータ
１０  測定ユニット
２０  操作ユニット
２１  主制御部
２２  ディスプレイ
２３  入力部
２４  メモリ部
２００  視標呈示装置
【図１】
0004003916.tif 000002
【図２】
0004003916.tif 000003
【図３】
0004003916.tif 000004
【図４】
0004003916.tif 000005
【図５】
0004003916.tif 000006
【図６】
0004003916.tif 000007
【図７】
0004003916.tif 000008